【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
ポリマー組成物であって、次の成分：
ａ）ポリマーであって
ａ１）線状もしくは分岐状ポリマー、結晶性もしくは部分結晶性熱可塑性物質、熱可塑性エラストマーまたは線状もしくは熱に不安定な架橋を有するポリマー分子からなるプラスチックから選択される熱可塑性物質（前記ポリマーは、単独もしくは任意の混合物のいずれかで、またはコポリマーとして使用することができる）
または
ａ２）共有結合を介した不可逆かつ強固な架橋を行うことにより、オリゴマーから得ることができるか、より頻度は低いがモノマーもしくはポリマーから得ることができる、熱硬化性物質（前記ポリマーは、単独もしくは任意の混合物のいずれかで、またはコポリマーとして使用することができる）
からなるポリマーの群から選択されるポリマーを、少なくとも４０重量部と、
ｂ）４級窒素化合物またはリン化合物である非金属陽イオンを有する塩を、０．１〜１５重量部と、
ｃ）エステルまたはアミドをベースとする分散剤であって、
ｃ１）アルキル基が１〜３個の炭素原子を有し、重合により得ることができるポリアクリル酸アルキルエステルを、
ａ）４〜５０個の炭素原子を有する飽和脂肪族アルコールおよび／もしくは
ｂ）４〜５０個の炭素原子を有する不飽和脂肪族アルコール
でエステル化することにより調製することができるポリアクリル酸エステルであって、
ａ）およびｂ）が、前記エステル基の３０〜１００％の量をエステル交換する量で使用される、ポリアクリル酸エステル
ならびに／または
ｃ２）ポリエステル−ポリアミン縮合物であって、
Ａ）少なくとも４個のアミノ基を含む１種もしくは複数種のアミノ官能性ポリマーと、
Ｂ）一般式（Ｉ）もしくは（Ｉａ）：
Ｔ−Ｃ（Ｏ）−［Ｏ−Ａ−Ｃ（Ｏ）］ｘ−ＯＨ      （Ｉ）
Ｔ−Ｏ−［Ｃ（Ｏ）−Ａ−Ｏ］ｙ−Ｚ      （Ｉａ）
の１種もしくは複数種のポリエステル
および
Ｃ）一般式（ＩＩ）もしくは（ＩＩａ）：
Ｔ−Ｃ（Ｏ）−Ｂ−Ｚ      （ＩＩ）
Ｔ−Ｏ−Ｂ−Ｚ      （ＩＩａ）
の１種もしくは複数種のポリエーテル
（式中、
Ｔは、水素基および／または１〜２４個の炭素原子を有する場合により置換された直鎖もしくは分岐アリール、アリールアルキル、アルキルもしくはアルケニル基であり、
Ａは、直鎖、分岐、環状および芳香族炭化水素からなる群から選択される少なくとも１種の２価の基であり、
Ｚは、スルホン酸、硫酸、ホスホン酸、リン酸、カルボン酸、イソシアネート、エポキシドからなる群から選択される少なくとも１種の基、特に、リン酸および（メタ）アクリル酸であり、
Ｂは、一般式（ＩＩＩ）：
−（ＣｌＨ２ｌＯ）ａ−（ＣｍＨ２ｍＯ）ｂ−（ＣｎＨ２ｎＯ）ｃ−（ＳＯ）ｄ−      （ＩＩＩ）
（ＳＯは、−ＣＨ２−ＣＨ（Ｐｈ）−Ｏ−（Ｐｈはフェニル基）であり、
ａ、ｂ、ｃは、それぞれ互いに独立に、０〜１００であり、
但し、ａ＋ｂ＋ｃの合計は０以上であり、但し、ａ＋ｂ＋ｃ＋ｄの合計は０を超え、
ｄは、０以上であり、
ｌ、ｍ、ｎは、それぞれ互いに独立に、２以上である）の基であり、
ｘ、ｙは、それぞれ互いに独立に、２以上である）と
を、一部または全部を反応させることにより得ることができる、ポリエステル−ポリアミン縮合物
から選択される、エステルまたはアミドをベースとする分散剤を、０．５〜２５重量部と、
ｄ）カーボンブラック、グラファイトパウダー、炭素繊維、カーボンナノチューブおよびグラフェンからなる群から選択される導電性カーボンを、前記ポリマー組成物のＩＥＣ  ６０１６７に準ずる表面固有抵抗が１０−１〜１０１０Ωとなる量と
を含み、
前記熱可塑性物質および熱硬化性物質は、単独または任意の混合物のいずれかで使用することができ、
但し、前記ポリマーａ）は、モノマー単位の炭素原子の数平均が少なくとも７．５であるポリアミドではない、
ポリマー組成物。
【請求項２】
前記ポリマーａ）が、ポリアミド１２ではないことを特徴とする、請求項１に記載のポリマー組成物。
【請求項３】
成分ｂ）を、０．１〜１０重量部と、
成分ｃ）を、１〜１０重量部と、
成分ｄ）としてのカーボンナノチューブを１〜１０重量部と、
成分ｅ）としての金属塩を、０〜５重量部と
を含むことを特徴とする、請求項１または２に記載のポリマー組成物。
【請求項４】
ＩＣＥ  ６００９３に準ずる体積固有抵抗が１０９Ωｍ以下であることを特徴とする、請求項１〜３のいずれか一項に記載のポリマー組成物。
【請求項５】
前記成分（ｂ）の前記非金属陽イオンが、一般式：
Ｒ１Ｒ２Ｒ３Ｒ４Ｎ＋          （１）
Ｒ１Ｒ２Ｎ＋＝ＣＲ３Ｒ４      （２）
Ｒ１Ｒ２Ｒ３Ｒ４Ｐ＋          （３）
Ｒ１Ｒ２Ｐ＋＝ＣＲ３Ｒ４      （４）
（式中、
Ｒ１、Ｒ２、Ｒ３、Ｒ４は、同一であっても異なっていてもよく、それぞれ、水素、１〜３０個の炭素原子を有する直鎖もしくは分岐もしくは二重結合含有脂肪族炭化水素基、５〜４０個の炭素原子を有する飽和もしくは不飽和の場合により二重結合を含む脂環式炭化水素基、６〜４０個の炭素原子を有する芳香族炭化水素基、７〜４０個の炭素原子を有するアルキルアリール基、２〜３０個の炭素原子を有し、酸素、−ＮＨ−、−ＮＲ‘−から選択される１種もしくは複数種のヘテロ原子を含む基が挿入された、直鎖もしくは分岐の、場合により不飽和の脂肪族炭化水素基、２〜３０個の炭素原子を有し、−Ｏ−Ｃ（Ｏ）−、−（Ｏ）Ｃ−Ｏ−、−ＮＨ−Ｃ（Ｏ）−、−（Ｏ）Ｃ−ＮＨ、−（ＣＨ３）Ｎ−Ｃ（Ｏ）−、−（Ｏ）Ｃ−Ｎ（ＣＨ３）−、−Ｓ（Ｏ２）−Ｏ−、−Ｏ−Ｓ（Ｏ２）−、−Ｓ（Ｏ２）−ＮＨ−、−ＮＨ−Ｓ（Ｏ２）−、−Ｓ（Ｏ２）−Ｎ（ＣＨ３）−、−Ｎ（ＣＨ３）−Ｓ（Ｏ２）−からなる群から選択される１種もしくは複数種の官能基が挿入された、直鎖もしくは分岐もしくは二重結合含有脂肪族炭化水素基、１〜３０個の炭素原子を有し、末端が、−ＯＨ、−ＯＲ‘、ＮＨ２、−Ｎ（Ｈ）Ｒ‘、−Ｎ（Ｒ‘）２で官能化された、直鎖もしくは分岐もしくは二重結合含有脂肪族もしくは脂環式炭化水素基またはブロックもしくはランダム構造を有するポリエーテル（Ｒ５−Ｏ）ｎ−Ｒ６
（式中、
Ｒ‘は、飽和Ｃ１〜Ｃ３０アルキル基であり、
Ｒ５は、２〜４個の炭素原子を含む直鎖または分岐の炭化水素基であり、
ｎは、１〜１００であり、
Ｒ６は、水素、１〜３０個の炭素原子を有する直鎖もしくは分岐もしくは二重結合含有脂肪族炭化水素基、５〜４０個の炭素原子を有する二重結合含有脂環式炭化水素基、６〜４０個の炭素原子を有する芳香族炭化水素基、７〜４０個の炭素原子を有するアルキルアリール基または−Ｃ（Ｏ）−Ｒ７基
（式中、
Ｒ７は、１〜３０個の炭素原子を有する直鎖もしくは分岐もしくは二重結合含有脂肪族炭化水素基または５〜４０個の炭素原子を有する二重結合含有脂環式炭化水素基または６〜４０個の炭素原子を有する芳香族炭化水素基または７〜４０個の炭素原子を有するアルキルアリール基）である）である）の少なくとも１種の４級窒素化合物またはリン化合物からなり、
陰イオンは、ハロゲン化物、カルボン酸、リン酸、チオシアン酸、イソチオシアン酸、ジシアナミド、硫酸、硫酸水素、アルキル硫酸およびアリール硫酸、ポリエーテル硫酸およびポリエーテルスルホン酸、パーフルオロアルキル硫酸、スルホン酸、アルキルスルホン酸およびアリールスルホン酸、パーフルオロ化アルキルスルホン酸およびアリールスルホン酸、テトラフルオロホウ酸、ヘキサフルオロリン酸、ビス（パーフルオロアルキルスルホニル）アミドまたはビス（パーフルオロアルキルスルホニル）イミド、ビス（トリフルオロメチルスルホニル）イミド、アルキルトルエンスルホン酸およびアリールトルエンスルホン酸、パーフルオロアルキルトルエンスルホン酸、硝酸、アルキルカルボン酸およびアリールカルボン酸、パーフルオロアルキルカルボン酸、過塩素酸、テトラクロロアルミン酸、サッカリン酸、テトラフェニルホウ酸、テトラキス（ペンタフルオロフェニル）ホウ酸ならびに／またはポリエーテルリン酸からなる群から選択され、
前記陰イオン−陽イオンの組合せは電荷のバランスを保っており、異なる塩の混合物も使用することができることを特徴とする、請求項１または２に記載のポリマー組成物。
【請求項６】
Ｒ‘が−ＣＨ３であることを特徴とする、請求項５に記載のポリマー組成物。
【請求項７】
成分（ｂ）として、置換されたアンモニウム、ホスホニウム、ピリジニウム、イミダゾリニウムおよびイミダゾリウム陽イオンからなる群から選択される非金属陽イオンを有する塩が使用され、
前記陰イオン−陽イオンの組合せが電荷のバランスを保っており、異なる塩の混合物も使用することができることを特徴とする、請求項１または２に記載のポリマー組成物。
【請求項８】
Ｂ基において、ａ＋ｂ＋ｃの合計が５〜３５であり、ｄが０以上であり、ｌ、ｍ、ｎが、それぞれ互いに独立に、２〜４であることを特徴とする、請求項１または２に記載のポリマー組成物。
【請求項９】
成分ｃ）の前記分散剤が、（ｃ１）アルキル基が１〜３個の炭素原子を有するポリアクリル酸エステルであって、アルキル部分の前記エステル基の少なくとも２５％が１〜４個の炭素原子を有する短鎖基であり、前記アルコール部分の前記エステル基の少なくとも２５％が１０〜５０個の炭素原子を有する長鎖基である、ポリアクリル酸エステルから選択されることを特徴とする、請求項１または２に記載のポリマー組成物。
【請求項１０】
前記成分（ｅ）の前記金属塩の陰イオンが、ハロゲン化物、カルボン酸、リン酸、チオシアン酸、イソチオシアン酸、ジシアナミド、硫酸、硫酸水素、アルキル硫酸およびアリール硫酸、ポリエーテル硫酸およびポリエーテルスルホン酸、パーフルオロアルキル硫酸、スルホン酸、アルキルスルホン酸およびアリールスルホン酸、パーフルオロ化アルキルスルホン酸およびアリールスルホン酸、テトラフルオロホウ酸、ヘキサフルオロリン酸、ビス（パーフルオロアルキルスルホニル）アミドもしくはビス（パーフルオロアルキルスルホニル）イミド、ビス（トリフルオロメチルスルホニル）イミド、アルキルトルエンスルホン酸およびアリールトルエンスルホン酸、パーフルオロアルキルトルエンスルホン酸、硝酸、アルキルカルボン酸およびアリールカルボン酸、パーフルオロアルキルカルボン酸、過塩素酸、テトラクロロアルミン酸、サッカリン酸、テトラフェニルホウ酸、テトラキス（ペンタフルオロフェニル）ホウ酸ならびに／またはポリエーテルリン酸からなる群から選択され、
陽イオンが、アルカリ土類金属もしくはアルカリ金属および／または亜鉛陽イオンであり、
前記陰イオン−陽イオンの組合せが電荷のバランスを保っており、異なる塩の混合物も使用することができることを特徴とする、請求項１または２に記載のポリマー組成物。
【請求項１１】
前記熱可塑性物質ａ１）が、ビニルポリマー、ポリエステル、ポリエーテルポリオール、熱可塑性ポリウレタン、ポリアミドおよびポリフタルアミドから選択されることを特徴とする、請求項１または２に記載のポリマー組成物。
【請求項１２】
前記ビニルポリマーが、ポリプロピレン、ポリエチレン、ポリスチレン、ポリ酢酸ビニルから選択されるポリオレフィンであり、前記ポリアミドが、モノマー単位の炭素原子数が平均７．５未満のものであり、前記ポリフタルアミドが、テレフタル酸および／またはイソフタル酸とヘキサメチレンジアミンおよび／または２−メチルペンタンジアミンとをベースし、場合によりカプロラクタムまたはヘキサメチレンジアミン／アジピン酸またはその誘導体をコモノマーとして含むことができるものであることを特徴とする、請求項１１に記載のポリマー組成物。
【請求項１３】
前記熱硬化性物質ａ２）が、非晶性樹脂、ジアリルフタレート樹脂（ＤＡＰ）、エポキシ樹脂（ＥＰ）、尿素−ホルムアルデヒド樹脂（ＵＦ）、メラミン−ホルムアルデヒド樹脂（ＭＦ）、メラミン−フェノール−ホルムアルデヒド樹脂（ＭＰＦ）、フェノール−ホルムアルデヒド樹脂および不飽和ポリエステル樹脂（ＵＰＥＳ）から選択されることを特徴とする、請求項１または２に記載のポリマー組成物。
【請求項１４】
請求項１〜１３のいずれか一項に記載のポリマー組成物から製造される成形品。
【請求項１５】
導電性カーボンブラック、炭素繊維、グラファイト、グラフェンおよび／またはＣＮＴを、非金属陽イオンを有する少なくとも１種の塩と、少なくとも１種の分散剤および場合により金属塩と一緒にプラスチックに分散させることを特徴とする、請求項１〜１３のいずれか一項に記載のポリマー組成物を製造するための方法。
【請求項１６】
前記分散剤が、熱硬化性ポリマーの場合は、非金属陽イオンを有する液体塩と合一され、熱可塑性ポリマーの場合は、前記分散剤をプレミックスに導入することによるかまたは押出領域の最初の３分の１に液体を計量添加することにより導入することによって添加されることを特徴とする、請求項１５に記載の方法。
【請求項１７】
前記分散剤および場合により上述の金属塩が、前記ポリマー組成物全体を基準として２０重量％〜７０重量％使用されることを特徴とする、前記ポリマー組成物のマスターバッチを製造するための、請求項１５または１６に記載の方法。
【請求項１８】
請求項１５〜１６のいずれか一項に記載のポリマー組成物を製造するための方法であって、
ｄ１）導電性カーボンブラックもしくは炭素繊維もしくはグラファイトまたは
ｄ２）ＣＮＴもしくはグラフェンまたは
ｄ３）ｄ１）およびｄ２）の任意の混合物
が使用され、
ｄ１）の場合、前記ポリマー組成物が、非金属陽イオンを有する少なくとも１種の塩を０〜１５重量％と、少なくとも１種の金属塩を０〜５重量％と、少なくとも１種の分散剤を１〜２５重量％と、少なくとも前記導電性カーボンブラックまたは前記炭素繊維または前記グラファイトを１５〜２５重量％と、場合によりさらなる添加剤を０〜５重量％とを含み、１００重量％の残分をそれぞれ前記熱硬化性ポリマーまたは熱可塑性ポリマーが構成する場合に、ＩＥＣ  ６００９３に準拠し１０９Ω・ｍ以下の体積固有抵抗が達成され、
または、
ｄ２）の場合、ＣＮＴが比較的低含有率で前記ポリマー組成物に直接分散されるかまたはＣＮＴマスターバッチが製造されて、対応するポリマーでＣＮＴの使用時の含有率が２〜８重量％となるように希釈し直すかのいずれかであり、前記ポリマー組成物が、非金属陽イオンを有する少なくとも１種の塩を０〜１５重量％と、少なくとも１種の金属塩を０〜５重量％と、少なくとも１種の分散剤を１〜２０重量％と、１種または複数種のＣＮＴまたはグラフェンを１〜２０重量％と、場合によりさらなる添加剤を０〜５重量％と、を含み、１００重量％の残分をそれぞれ前記熱硬化性ポリマーまたは熱可塑性ポリマーが構成する場合に、１０８〜１０６オーム・ｍの体積固有抵抗が達成され、
または
ｄ３）の、ａ）およびｂ）の任意の混合物の場合、１０９オーム・ｍ以下の体積固有抵抗が達成されることを特徴とする、方法。